(57)【要約】【課題】型組み及び型ばらしの際に足腰にかかる負担を低減することができる型枠固定構造を提供する。【解決手段】側枠３０に固定されて垂下する支持バー３２と、ベース枠１０から水平方向に突出形成されて支持バー３２を保持可能な保持機構１５と、を備え、保持機構１５は、水平方向に回動可能なロック部材２０を備え、ロック部材２０を回動させることで支持バー３２を挟み込んで保持可能とした。【選択図】図１
2018118403.tif 000002
【特許請求の範囲】
【請求項１】
ベース枠と側枠とを直角に組み合わせて固定する型枠固定構造であって、
前記側枠に固定されて垂下する支持バーと、
前記ベース枠から水平方向に突出形成されて前記支持バーを保持可能な保持機構と、
を備え、
前記保持機構は、水平方向に回動可能なロック部材を備え、前記ロック部材を回動させることで前記支持バーを挟み込んで保持可能であることを特徴とする、型枠固定構造。
【請求項２】
前記ロック部材に着脱可能な操作バーを備え、
前記操作バーは、前記ロック部材を回動させるときに梃子の役割を果たすことを特徴とする、請求項１記載の型枠固定構造。
【請求項３】
前記ベース枠に設けられた受け部と、
前記受け部に当接するように前記支持バーに取り付けられた押し当て部材と、
前記支持バーに対する前記押し当て部材の突出量を調整することで前記支持バーの角度を調整する角度調整部と、
を備えることを特徴とする、請求項１又は２記載の型枠固定構造。
【請求項４】
前記ベース枠に対する前記保持機構の突出量を調整する締結力調整部を備えることを特徴とする、請求項１〜３のいずれか１項に記載の型枠固定構造。
【発明の詳細な説明】
【技術分野】
【０００１】
この発明は、コンクリートスラブ等のコンクリート製品を製造するための型枠に関するものであり、更に詳しくは、ベース枠と側枠とを直角に組み合わせて固定する型枠固定構造に関する。
【背景技術】
【０００２】
この種の型枠に関し、例えば特許文献１には、ベース枠と側枠とを組み合わせて固定する方法が開示されている。この特許文献１記載の構成では、上下へ回動自在としたアームの先端を押圧軸に係合させることでベース枠と側枠とを固定できるようにしている。また、ベース枠と側枠との垂直を保つために、調整式のストッパーを設けている。
【０００３】
このような構成によれば、型組み及び型ばらしを容易とすることができ、また、ベース枠と側枠とを直角に組み合わせて固定することができる。
【先行技術文献】
【特許文献】
【０００４】
【特許文献１】特開２０００−３１７９２６号公報
【発明の概要】
【発明が解決しようとする課題】
【０００５】
しかし、上記した特許文献１記載の構成では、アームを上下へ回動操作するときに足腰に負担がかかるという問題があった。また、側枠の締結力や樹立角を調整するときには、アームの締結力とストッパーの高さとを相互に微調整しなければならないため（側枠の長手方向に見た複数箇所で相互に微調整しなければならないため）、調整作業が煩雑となる場合があった。
【０００６】
そこで、本発明は、型組み及び型ばらしの際に足腰にかかる負担を低減することができる型枠固定構造を提供することを第１の課題とする。
また、本発明は、側枠の樹立角を容易に調整することができる型枠固定構造を提供することを第２の課題とする。
【課題を解決するための手段】
【０００７】
本発明は、上記した課題を解決するためになされたものであり、以下を特徴とする。
請求項１記載の発明は、ベース枠と側枠とを直角に組み合わせて固定する型枠固定構造であって、前記側枠に固定されて垂下する支持バーと、前記ベース枠から水平方向に突出形成されて前記支持バーを保持可能な保持機構と、を備え、前記保持機構は、水平方向に回動可能なロック部材を備え、前記ロック部材を回動させることで前記支持バーを挟み込んで保持可能であることを特徴とする。
【０００８】
請求項２に記載の発明は、上記した請求項１に記載の発明の特徴点に加え、前記ロック部材に着脱可能な操作バーを備え、前記操作バーは、前記ロック部材を回動させるときに梃子の役割を果たすことを特徴とする。
【０００９】
請求項３に記載の発明は、上記した請求項１又は２に記載の発明の特徴点に加え、前記ベース枠に設けられた受け部と、前記受け部に当接するように前記支持バーに取り付けられた押し当て部材と、前記支持バーに対する前記押し当て部材の突出量を調整することで前記支持バーの角度を調整する角度調整部と、を備えることを特徴とする。
【００１０】
請求項４に記載の発明は、上記した請求項１〜３のいずれかに記載の発明の特徴点に加え、前記ベース枠に対する前記保持機構の突出量を調整する締結力調整部を備えることを特徴とする。
【発明の効果】
【００１１】
請求項１に記載の発明は上記の通りであり、側枠に固定されて垂下する支持バーと、ベース枠から水平方向に突出形成されて支持バーを保持可能な保持機構と、を備え、保持機構は、水平方向に回動可能なロック部材を備え、ロック部材を回動させることで支持バーを挟み込んで保持可能である。このような構成によれば、ロック部材を水平方向に回動させることで型組み及び型ばらしができるので、しゃがみ込んでの作業やひざの屈伸動作などが必要ない。よって、アームを上下へ回動操作するような従来の構造に比べ、型組み及び型ばらしの際に足腰にかかる負担を低減することができる。
【００１２】
なお、従来のようにアームを上下へ回動操作させる構造の場合、アームが足や膝等に落下する可能性があるが、本発明のようにロック部材が水平方向に回動する構造の場合、そのような心配も不要である。
【００１３】
また、請求項２に記載の発明は上記の通りであり、ロック部材に着脱可能な操作バーを備え、操作バーは、ロック部材を回動させるときに梃子の役割を果たす。このような構成によれば、操作バーを使用することでロック部材を回動させるときの操作荷重を低減できるので、作業の負担を軽減することができる。
【００１４】
また、請求項３に記載の発明は上記の通りであり、支持バーに対する押し当て部材の突出量を調整することで支持バーの角度を調整する角度調整部を備える。このような構成によれば、角度調整部を使用して側枠の樹立角を調整することができる。このとき、角度調整部及び保持機構が支持バーに沿って設けられており、上下に同じ位置にあるため、一箇所で型組みと樹立角の調整とを行うことができる。しかも、支持バーの角度が垂直になるようにすればよいので、側枠の樹立角を確認しやすい。よって、側枠の樹立角の調整作業を容易に行うことができる。
【００１５】
また、請求項４に記載の発明は上記の通りであり、ベース枠に対する保持機構の突出量を調整する締結力調整部を備える。このような構成によれば、締結力調整部を使用して側枠の締結力の調整作業を行うことができる。そして、この締結力調整部も、角度調整部及び保持機構と同様に支持バーの付近に配置されているため、締結力の調整と樹立角の調整とを一箇所で行うことができる。よって、締結力を変更することで側枠の樹立角が変わった場合でも、調整作業を容易に行うことができる。
【図面の簡単な説明】
【００１６】
【図１】型組み後の型枠固定構造の側面図である。
【図２】型組み前の型枠固定構造の側面図である。
【図３】ロック部材が回動する様子を上から見た図であって、（ａ）ロックした状態の図、（ｂ）ロックを解除した状態の図である。
【図４】ロック部材の（ａ）平面図、（ｂ）正面図である。
【図５】角度調整部を上から見た図であって、（ａ）押し当て部材の突出量が大きい状態の図、（ｂ）押し当て部材の突出量を小さくした状態の図である。
【図６】締結力調整部を上から見た図であって、（ａ）保持機構の突出量が大きい状態の図、（ｂ）保持機構の突出量を小さくした状態の図である。
【発明を実施するための形態】
【００１７】
本発明の実施形態について、図を参照しながら説明する。
本実施形態に係る型枠固定構造は、コンクリートスラブ等のコンクリート製品を製造するための型枠に関するものであり、図１に示すように、ベース枠１０と側枠３０とを直角に組み合わせて固定するようになっている。コンクリート製品を製造するときには、ベース枠１０の周縁に側枠３０を接合固定して型組みを行ない、こうして型組みした型枠の内部へコンクリートを充填する。そして、充填したコンクリートが硬化したら、ベース枠１０から側枠３０を離す型ばらしを行ってコンクリート製品を取り出す。
【００１８】
なお、特に図示しないが、ベース枠１０と側枠３０との組み合わせ方は自由に設定することができる。例えば、側枠３０を水平にスライドさせてベース枠１０の側方から押し当てるようにしてもよい。または、側枠３０をベース枠１０に対してヒンジなどを介して回動可能に構成し、側枠３０を回動させることでベース枠１０に当接するようにしてもよい。なお、ベース枠１０と側枠３０との分離状態を示す図２は、ベース枠１０と側枠３０との実際の位置関係を示したものではない。すなわち、スライド方式であれば、ベース枠１０と側枠３０とは水平方向に分離または接合されるし、回動方式であれば、ベース枠１０と側枠３０とは垂直方向に回転して分離または接合されることとなる。
【００１９】
ベース枠１０は、コンクリートが充填される略水平なコンクリート充填面１０ｃを有する型枠の一部であり、コンクリート充填面１０ｃの端部に略垂直な支持面１０ａを備えている。型組みしたときには、この支持面１０ａに後述する側枠３０が押し当てられるようになっている。なお、支持面１０ａは平面でなくてもよく、例えばＲ形状であってもよいし、Ｃ面加工されたものであってもよい。また、このベース枠１０の下部には、台部１０ｂが設けられており、ベース枠１０を持ち上げて下方から支持している。この台部１０ｂには、ボルト保持部１１と受け部２８とが、溶接などにより固定されている。
【００２０】
ボルト保持部１１は、蝶番ボルト１２を保持するための部位である。蝶番ボルト１２は頭部１２ａがリング状に形成されており、このリング状の頭部１２ａをボルト保持部１１で挟み込んで、ボルト保持部１１とリング状の頭部１２ａとを貫通するようにボルト固定ピン１４を取り付けることで蝶番ボルト１２がボルト保持部１１に固定されている。蝶番ボルト１２の軸部１２ｂは支持面１０ａよりも突出するように水平方向に突出して設けられている。そして、この蝶番ボルト１２の軸部１２ｂには、図３等に示すように、保持機構１５が取り付けられている。
【００２１】
保持機構１５は、後述する支持バー３２を保持するためのものであり、蝶番ボルト１２の軸部１２ｂに取り付けられることにより、ベース枠１０から水平方向に突出形成されている。この保持機構１５が支持バー３２を保持することで、ベース枠１０と側枠３０とを直角に組み合わせて固定することができるようになっている。この保持機構１５は、蝶番ボルト１２に固定された保持ベース部材１６と、保持ベース部材１６に対して回動可能に取り付けられたロック部材２０と、を備える。
【００２２】
保持ベース部材１６は、蝶番ボルト１２の軸部１２ｂが貫通できるように構成されたパイプ部１７と、パイプ部１７から先端方向に延びるアーム部１８と、アーム部１８の先端に設けられた回動軸１９と、を備える。
【００２３】
パイプ部１７は、保持ベース部材１６を蝶番ボルト１２に取り付けるために設けられている。このパイプ部１７には、蝶番ボルト１２の軸部１２ｂが貫通しており、パイプ部１７の両側に螺着された締結力調整ナット１３ａによって位置が固定されている。締結力調整ナット１３ａは、ベース枠１０に対する保持機構１５の突出量を調整する締結力調整部１３を構成しており、この締結力調整ナット１３ａを締め付ける位置を変えることで保持機構１５（保持ベース部材１６）の位置を調整できるようになっている。
【００２４】
すなわち、図６に示すように、締結力調整ナット１３ａを回転させて蝶番ボルト１２の軸部１２ｂに沿って移動させれば、蝶番ボルト１２の軸部１２ｂに沿ってパイプ部１７を動かせるようになっており、これにより保持機構１５（保持ベース部材１６）の位置を変えられるようになっている。具体的には、図６（ａ）に示すように保持機構１５の突出量を大きくすれば、保持機構１５がベース枠１０から離れた状態となるので、保持機構１５によって側枠３０をベース枠１０の方向へ引き寄せる力を小さくすることができる。また、図６（ｂ)に示すように保持機構１５の突出量を小さくすれば、保持機構１５がベース枠１０に近くなるので、保持機構１５によって側枠３０をベース枠１０の方向へ引き寄せる力を大きくすることができる。
【００２５】
ロック部材２０は、保持ベース部材１６に対して回動軸１９を介して回動可能に接続されている。回動軸１９は略垂直であるため、ロック部材２０は水平方向に回動可能となっている。このロック部材２０は、回動することで、後述する支持バー３２を挟み込んで保持可能となっている。
【００２６】
このロック部材２０は、図４に示すように、回動軸１９を貫通させるための回動軸孔２１と、後述する支持バー３２に係合させるためのフック２２と、後述する操作バー２４を取り付けるためのバー取り付け部２３と、を備える。
【００２７】
フック２２は、図４（ａ）に示すように、支持バー３２を引っ掛けるために内周面が略半円状に形成されている。ロック部材２０を保持ベース部材１６に対して閉じ方向に回動させると、図３（ａ）に示すように、フック２２の内側が支持バー３２の周面に沿って支持バー３２を保持できるようになっている。このように保持した状態では、ベース枠１０と側枠３０とを引き離そうとする力が発生しても（言い換えると、図１において、支持バー３２を右方向へ押す力が発生しても）、ロック部材２０が回動しないように構成されている。よって、ロック部材２０を意図的に回動させない限りは、保持機構１５による支持バー３２の保持が解除されないようになっている。しかも、フック２２は、図４（ａ）に示すように、２枚の平行な板によって２重に形成されており、２つのフック２２で支持バー３２を保持できるようになっている。このため、フック２２と支持バー３２との接触面積が大きく確保されており、確実に支持バー３２を保持できるようになっている。
【００２８】
また、バー取り付け部２３は、ロック部材２０の回動を容易とするためのものであり、図４に示すように、回動軸孔２１の軸方向に対して垂直に設けられた筒状の部位である。このバー取り付け部２３には、図３に示すような操作バー２４を取り付け可能となっている。操作バー２４は、ロック部材２０に着脱可能な棒状部材であり、ロック部材２０を回動させるときに梃子の役割を果たすものである。本実施形態に係る操作バー２４は、バー取り付け部２３に挿入可能な挿入部２４ａと、挿入部２４ａよりも大径で形成された把持部２４ｂと、を備える。この操作バー２４を使用するときは、図３に示すように、挿入部２４ａをバー取り付け部２３に挿入し、把持部２４ｂを手で持って力を加えれば、少ない力で容易にロック部材２０を回動させることができる。そして、ロック部材２０を回動させた後に操作バー２４を取り外せば、保持機構１５をコンパクトに保つことができ、操作バー２４が邪魔になることもない。
【００２９】
このようにロック部材２０を回動させることで、支持バー３２をクランプしてベース枠１０に側枠３０を固定できるようになっている。
【００３０】
受け部２８は、ベース枠１０の台部１０ｂから水平方向に突出して設けられた柱状の部位であり、ボルト保持部１１の下方に配置されている。この受け部２８は、後述する押し当て部材３３を受けるためのものである。なお、この受け部２８に貫通孔２８ａを設け、ボルト固定ピン１４を貫通させるようにしてもよい。
【００３１】
側枠３０は、型枠の一部であり、略水平に配置される底盤部３１と、略垂直に配置される側板部３５と、を備える。底盤部３１の端部にはパッキン溝３１ｂが設けられており、このパッキン溝３１ｂにパッキンを装着してベース枠１０の支持面１０ａに押し当てることにより、側枠３０とベース枠１０とが直角に組み合わせられるようになっている。この側枠３０には、支持バー３２が固定されて略垂直に垂下している。詳しくは、底盤部３１のバー保持部３１ａに溶接などで固定されている。
【００３２】
支持バー３２は、図２等に示すような円柱状の部材であり、すでに説明したように、保持機構１５によって中間部を保持されるようになっている。そして、保持機構１５によって保持される中間部よりも下方には、押し当て部材３３が取り付けられている。
【００３３】
押し当て部材３３は、ベース枠１０の受け部２８に当接するように略水平に設けられた棒状部材である。この押し当て部材３３は、ボルト状にねじが切られた軸部３３ｂと、軸部３３ｂの先端に固定された当接部３３ａと、を備える。軸部３３ｂは、図５に示すように、支持バー３２と直交するように支持バー３２を貫通して取り付けられている。また、軸部３３ｂには、支持バー３２を挟むように支持バー３２の両側に角度調整ナット３４ａが取り付けられている。角度調整ナット３４ａは、支持バー３２に対する押し当て部材３３の突出量を調整することで支持バー３２の角度を調整する角度調整部３４を構成しており、この角度調整ナット３４ａを締め付ける位置を変えることで支持バー３２の角度を調整し、もって側枠３０の樹立角を調整できるようになっている。
【００３４】
すなわち、図５に示すように、角度調整ナット３４ａを回転させると、押し当て部材３３の軸部３３ｂに対する角度調整ナット３４ａの相対位置が移動することにより、支持バー３２と押し当て部材３３との相対位置が移動する。これにより、押し当て部材３３の突出量が変化するようになっている。このように、押し当て部材３３の突出量が変化することで、当接部３３ａが受け部２８を押す量が変化するので、支持バー３２の角度が変化する。そして、このような支持バー３２の角度変化に伴い、側枠３０の樹立角も変化するようになっている。具体的には、側枠３０の樹立角を調整するときには、保持機構１５によって十分な締結力を得られるように締結力調整部１３を調整し、この状態で支持バー３２が垂直になるように角度調整部３４を調整すれば、側枠３０をベース枠１０に対して垂直に調整することができる。
【００３５】
以上説明したように、本実施形態によれば、側枠３０に固定されて垂下する支持バー３２と、ベース枠１０から水平方向に突出形成されて支持バー３２を保持可能な保持機構１５と、を備え、保持機構１５は、水平方向に回動可能なロック部材２０を備え、ロック部材２０を回動させることで支持バー３２を挟み込んで保持可能である。このような構成によれば、ロック部材２０を水平方向に回動させることで型組み及び型ばらしができるので、しゃがみ込んでの作業やひざの屈伸動作などが必要ない。よって、アームを上下へ回動操作するような従来の構造に比べ、型組み及び型ばらしの際に足腰にかかる負担を低減することができる。
【００３６】
なお、従来のようにアームを上下へ回動操作させる構造の場合、アームが足や膝等に落下する可能性があるが、本実施形態のようにロック部材２０が水平方向に回動する構造の場合、そのような心配も不要である。
【００３７】
また、ロック部材２０に着脱可能な操作バー２４を備え、操作バー２４は、ロック部材２０を回動させるときに梃子の役割を果たす。このような構成によれば、操作バー２４を使用することでロック部材２０を回動させるときの操作荷重を低減できるので、作業の負担を軽減することができる。
【００３８】
また、支持バー３２に対する押し当て部材３３の突出量を調整することで支持バー３２の角度を調整する角度調整部３４を備える。このような構成によれば、角度調整部３４を使用して側枠３０の樹立角を調整することができる。このとき、角度調整部３４及び保持機構１５が支持バー３２に沿って設けられており、上下に同じ位置にあるため、一箇所で型組みと樹立角の調整とを行うことができる。しかも、支持バー３２の角度が垂直になるようにすればよいので、側枠３０の樹立角を確認しやすい。よって、側枠３０の樹立角の調整作業を容易に行うことができる。
【００３９】
また、ベース枠１０に対する保持機構１５の突出量を調整する締結力調整部１３を備える。このような構成によれば、締結力調整部１３を使用して側枠３０の締結力の調整作業を行うことができる。そして、この締結力調整部１３も、角度調整部３４及び保持機構１５と同様に支持バー３２の付近に配置されているため、締結力の調整と樹立角の調整とを一箇所で行うことができる。よって、締結力を変更することで側枠３０の樹立角が変わった場合でも、調整作業を容易に行うことができる。
【符号の説明】
【００４０】
１０  ベース枠
１０ａ  支持面
１０ｂ  台部
１０ｃ  コンクリート充填面
１１  ボルト保持部
１２  蝶番ボルト
１２ａ  頭部
１２ｂ  軸部
１３  締結力調整部
１３ａ  締結力調整ナット
１４  ボルト固定ピン
１５  保持機構
１６  保持ベース部材
１７  パイプ部
１８  アーム部
１９  回動軸
２０  ロック部材
２１  回動軸孔
２２  フック
２３  バー取り付け部
２４  操作バー
２４ａ  挿入部
２４ｂ  把持部
２８  受け部
２８ａ  貫通孔
３０  側枠
３１  底盤部
３１ａ  バー保持部
３１ｂ  パッキン溝
３２  支持バー
３３  押し当て部材
３３ａ  当接部
３３ｂ  軸部
３４  角度調整部
３４ａ  角度調整ナット
３５  側板部
【図１】
2018118403.tif 000003
【図２】
2018118403.tif 000004
【図３】
2018118403.tif 000005
【図４】
2018118403.tif 000006
【図５】
2018118403.tif 000007
【図６】
2018118403.tif 000008